(57)【要約】      （修正有）【課題】小物収納装置とその製造方法に係るもであって、三層構造の中層クッション材に収納物取り出し孔部を設けることにより、収納物を確実に取り出すことができる小物収納装置と、筆記具と切断具で簡便に製造可能な小物収納装置の製造方法を提供する。【解決手段】上層クッション材本体１に上層収納物挟持部２と上層収納物取り出し孔部３を設け、中層クッション材本体４に中層収納物取り出し孔部５を設け、下層材本体６を設け、前記上層クッション材本体１と前記中層クッション材本体４と前記下層材本体６を積層形成し、収納物を収納する。【選択図】図２
2009083930.tif 000002
【特許請求の範囲】
【請求項１】
上層クッション材本体（１）に上層収納物挟持部（２）と上層収納物取り出し孔部（３）を設け、中層クッション材本体（４）に中層収納物取り出し孔部（５）を設け、下層材本体（６）を設け、前記上層クッション材本体（１）と前記中層クッション材本体（４）と前記下層材本体（６）を積層形成したことを特徴とする小物収納装置。
【請求項２】
上層クッション材用書込み剥離フイルム（１２）を貼付する上層クッション材本体製造工程（１１）、中層クッション材用書込み剥離フイルム（１７）を貼付する中層クッション材本体製造工程（１６）、下層材本体製造工程（２１）と、上層収納物挟持部用切断線（１４）及び上層収納物取り出し孔部用切断線（１５）を記入し前記上層収納物挟部（２）及び前記上層収納物取り出し孔部（３）を切断する上層収納物挟持部及び上層収納物取り出し孔部製造工程（１３）と、中層収納物取り出し孔用切断線（１９）及び中層収納物取り出し孔用切断補助線（２０）又は前記中層収納物取り出し孔用切断線（１９）を記入し前記中層収納物取り出し孔部（５）を切断する中層収納物取り出し孔部製造工程（１８）と、上層クッション材本体、中層クッション材本体、下層材本体の積層製造工程（２２）により製造することを特徴とする請求項１記載の小物収納装置の製造方法。
【発明の詳細な説明】
【技術分野】
【０００１】  本発明は、小物収納装置及びその製造方法に係るものであって、収納物の外形形状に対応した収納装置から収納物を容易に取り出すことができる小物収納装置と、簡便に製造可能な小物収納装置の製造方法に関するものである。
【背景技術】
【０００２】  従より、収納物の外形形状に対応した繰り抜き圧着部によって収納物を収納する小物収納装置は、収納物を取り出すために当該圧着部の一部を広げた拡圧着部が設けられているのが一般的である。当該拡圧着部は、指を入れるための取り出し孔でもでもある。【０００３】  しかしながら、収納物の外形形状に対応した繰り抜き圧着部によって収納物を収納しても、図８（ｃ）に示すように収納物が下層に設置した状態になるため、圧着部の一部を広げた拡圧着部でも、収納物を確実に指で取り出せないなど、使い勝手が不十分な欠点があった。【０００４】  収納物を下層に設置しない小物収納装置は、例えば実開平５−４４８６９号は、小物保持用クッション材に収納物の外形形状に対応した圧着部が適宣分散配置され、圧着に嵌合される小物保持用挟持部がボックス底部から立設された構成となっている。小物保持用クッション材はボックスへ押圧し装着するものであるが、ボックス底部から立設された小物保持用挟持部と小物保持用クッション材の嵌合や、収納物を小物保持用挟持部の形状に合わせる等の難易性と高コストが指摘できる。
【特許文献１】実開平５−４４８６９号
【発明の開示】
【発明が解決しようとする課題】
【０００５】
【０００６】  解決しようとする問題点は、小物収納装置及びその製造方法において、簡便な小物収納装置とその製造方法がなされていない点である。本発明は、このような問題点を解決するためになされたもので、収納物の外形形状に対応した収納装置から収納物を容易に取り出すことができる小物収納装置と、簡便に製造可能な小物収納装置の製造方法を課題としている。
【課題を解決するための手段】
【０００７】  本発明に係る小物収納装置は、上層クッション材本体（１）に上層収納物挟持部（２）と上層収納物取り出し孔部（３）を設け、中層クッション材本体（４）に中層収納物取り出し孔部（５）を設け、下層材本体（６）を設け、前記上層クッション材本体（１）と前記中層クッション材本体（４）と前記下層材本体（６）を積層形成したことを特徴としている点である。【０００８】  本発明に係る小物収納装置の製造方法は、上層クッション材用書込み剥離フイルム（１２）を貼付する上層クッション材本体製造工程（１１）、中層クッション材用書込み剥離フイルム（１７）を貼付する中層クッション材本体製造工程（１６）、下層材本体製造工程（２１）と、上層収納物挟持部用切断線（１４）及び上層収納物取り出し孔部用切断線（１５）を記入し前記上層収納物挟部（２）及び前記上層収納物取り出し孔部（３）を切断する上層収納物挟持部及び上層収納物取り出し孔部製造工程（１３）と、中層収納物取り出し孔用切断線（１９）及び中層収納物取り出し孔用切断補助線（２０）又は前記中層収納物取り出し孔用切断線（１９）を記入し前記中層収納物取り出し孔部（５）を切断する中層収納物取り出し孔部製造工程（１８）と、上層クッション材本体、中層クッション材本体、下層材本体の積層製造工程（２２）により製造することを特徴としている点である。
【発明の効果】
【０００９】  本発明によれば、三層構造の上層クッション材に収納物挟持部と収納物取り出し孔部を設け、中層クッション材にも収納物取り出し孔部を設け、下層材を設けることにより、収納物を確実に取り出すことができ、極めて良好な作業が可能となる。
また、本発明の小物収納装置は、上層クッション材、中層クッション材、下層材の板状の素材によって構成されているので、それぞれ同一素材で製作することも可能となり、低コストで製造が可能となる。さらに、上層クッション材、中層クッション材、下層材に異なる色彩を付すことで、収納物の収納場所を視覚的に把握でき作業効率も向上する。【００１０】  本発明の小物収納装置の製造方法を実施する実施者は、上層クッション材、中層クッション材、下層材の板状素材を用いて、実施者の収納する任意の収納物を特定し、筆記具と切断具を利用し簡便に低コストで小物収納装置を製造することが可能となる。
【発明を実施するための最良の形態】
【００１１】  以下、本発明に係る小物収納装置及びその製造方法について図面を用いて説明する。【００１２】  図１は、本発明に係る小物収納装置を示す斜視図である。上層クッション材本体（１）に上層収納物挟持部（２）と上層収納物取り出し孔部（３）を設け、中層クッション材本体（４）に中層収納物取り出し孔部（５）を設け、下層材本体（６）を設け、前記上層クッション材本体（１）と前記中層クッション材本体（４）と前記下層材本体（６）を積層形成した構成である。
本発明は以上のような構成でこれを使用するときは、上層クッション材本体（１）の上層収納物挟持部（２）に図４に示すように収納物（３３）を収納する。前記収納物（３３）を取り出すときは、上層収納物取り出し孔部（３）と中層収納物取り出し孔部（５）に指を入れ前記収納物（３３）を挟持して取り出す。【００１３】  図２は、本発明に係る小物収納装置の積層構造を示す分解斜視図である。上層クッション材本体（１）と同一枠板形状の中層クッション材本体（４）と下層材本体（６）が積層され、前記上層クッション材本体（１）に上層収納物挟持部（２）と上層収納物取り出し孔部（３）を設け、前記上層収納物取り出し孔部（３）と整合する前記上層収納物挟持部（２）に中層収納物取り出し孔部（５）を設け、三層に積層形成した構成である。【００１４】  図３は、本発明に係る小物収納装置の製造工程を示すフローチャート図である。上層クッション材用書込み剥離フイルム（１２）を貼付する上層クッション材本体製造工程（１１）、中層クッション材用書込み剥離フイルム（１７）を貼付する中層クッション材本体製造工程（１６）、下層材本体製造工程（２１）と、上層収納物挟持部用切断線（１４）及び上層収納物取り出し孔部用切断線（１５）を記入し前記上層収納物挟部（２）及び前記上層収納物取り出し孔部（３）を切断する上層収納物挟持部及び上層収納物取り出し孔部製造工程（１３）と、中層収納物取り出し孔用切断線（１９）及び中層収納物取り出し孔用切断補助線（２０）又は前記中層収納物取り出し孔用切断線（１９）を記入し前記中層収納物取り出し孔部（５）を切断する中層収納物取り出し孔部製造工程（１８）と、上層クッション材本体、中層クッション材本体、下層材本体の積層製造工程（２２）により製造するものである。【００１５】  尚、製造工程の便宜上、板状の素材である上層クッション材本体（１）の上層クッション材用書込み剥離フイルム（１２）を貼付する上層クッション材本体製造工程（１１）と中層クッション材本体（４）の中層クッション材用書込み剥離フイルム（１７）を貼付する中層クッション材本体製造工程（１６）をそれぞれ同一工程で製作することも可能であり、さらに、下層材本体（６）も書込み剥離フイルムを貼付する工程を除き、合わせて同一工程で製作することも可能である。
【実施例】
【００１６】  以下、本発明に係る小物収納装置及びその製造方法についての実施例について図面を用いて説明する。【００１７】  図４は、本発明に係る小物収納装置に小物を収納した実施状態を示す斜視図である。板状の素材の上層クッション材本体（１）に上層収納物挟持部（２）と上層収納物取り出し孔部（３）を設け、前記板状の素材の上層クッション材本体（１）と同一枠形状素材の中層クッション材本体（４）に前記上層収納物取り出し孔部（３）と整合する中層収納物取り出し孔部（５）を設け、前記中層クッション材本体（４）と同一枠形状の下層材本体（６）を設け、前記上層クッション材本体（１）と前記中層クッション材本体（４）と前記下層材本体（６）を積層形成して実施する。【００１８】  以上のように小物収納装置に小物を収納する場合は、上層クッション材本体（１）の上層収納物挟持部（２）に収納物（３３）を収納する。前記収納物（３３）を取り出すときは、上層収納物取り出し孔部（３）と中層収納物取り出し孔部（５）に指を入れ前記収納物（３３）を挟持して取り出して実施する。【００１９】  次に、発明に係る小物収納装置の製造方法の実施例について図面を用いて説明する。
図５は、本発明に係る小物収納装置の上層クッション材の製造方法を示す模式図であり、本発明の上層クッション材本体製造工程（１１）と上層収納物挟持部及び上層収納物取り出し孔部製造工程（１３）を示している。
図５（ａ）は、上層クッション材本体（１）及び上層クッション材用書込み剥離フイルム（１２）を貼付する工程であって、前記上層クッション材本体（１）は、板状の発砲ポリエチレン等の素材である。前記上層クッション材用書込み剥離フイルム（１２）は、筆記具（３１）で筆記が可能なフイルム素材で、前記上層クッション材本体（１）の上面に剥離可能な状態で設置する。
尚、本発明の小物収納装置の製造方法を実施する実施者は、前記上層クッション材用書込み剥離フイルム（１２）を貼付した前記上層クッション材本体（１）の提供を受け、任意の小物を収納する小物収納装置を製造することが可能となる。【００２０】  図５（ｂ）は、上層クッション材用書込み剥離フイルム（１２）を貼付した上層クッション材本体（１）の上面適所に任意の小物である収納物（３３）を適所に設置し、前記収納物（３３）外形形状に対応した上層収納物挟持部用切断線（１４）を前記収納物（３３）が変動しないように筆記具（３１）で記入する。【００２２】  図５（ｃ）は、収納物（３３）の外形形状に対応した上層収納物挟持部用切断線（１４）を筆記具（３１）で記入後に、上層収納物取り出し孔部用切断線（１５）を記入する。前記上層収納物取り出し孔部用切断線（１５）は、指で取り出すことが可能な任意の形状で記入する。図５の図面では説明上、前記上層収納物挟持部用切断線（１４）及び前記上層収納物取り出し孔部用切断線（１５）は点線で表している。【００２３】  図５（ｄ）は、上層クッション材用書込み剥離フイルム（１２）を貼付した上層クッション材本体（１）の上面適所に任意に記入した前記収納物（３３）の外形形状に対応した上層収納物挟持部用切断線（１４）及び上層収納物取り出し孔部用切断線（１５）にあわせて切断具（３２）を用いて切断する。【００２４】  図５（ｅ）は、上層クッション材本体（１）から上層クッション材用書込み剥離フイルム（１２）を剥がし、不要部分を繰り抜き、上層収納物挟持部（２）と上層収納物取り出し孔部（３）を形成する。
以上により上層クッション材本体製造工程（１１）と上層収納物挟持部及び上層収納物取り出し孔部製造工程（１３）により、前記上層クッション材本体（１）を製造する。【００２５】  次に、本発明の中層クッション材本体製造工程（１６）と上層収納物取り出し孔部製造工程（１８）について説明する。
図６は、本発明に係る小物収納装置の中層クッション材の製造方法を示す模式図である。
図６（ａ）は、中層クッション材本体（４）及び中層クッション材用書込み剥離フイルム（１７）を貼付する工程であって、前記中層クッション材本体（４）は、板状の発砲ポリエチレン等の素材である。前記中層クッション材用書込み剥離フイルム（１７）は、筆記具（３１）で筆記が可能なフイルム素材で、前記中層クッション材本体（４）の上面に剥離可能な状態で設置する。【００２６】  尚、製造工程の便宜上、板状の素材である上層クッション材本体（１）の上層クッション材用書込み剥離フイルム（１２）を貼付する上層クッション材本体製造工程（１１）と前記中層クッション材本体（４）の前記中層クッション材用書込み剥離フイルム（１７）を貼付する中層クッション材本体製造工程（１６）をそれぞれ同一工程で製作することも可能であり、さらに、後述する下層材本体（６）も合わせて同一工程で製作することも可能である。【００２７】  図６（ｂ）は、中層クッション材用書込み剥離フイルム（１７）を貼付した中層クッション材本体（４）の上層に、上層収納物挟持部（２）と上層収納物取り出し孔部（３）を設けた前記上層クッション材本体（１）を重る。前記上層収納物取り出し孔部（３）に合わせ、中層収納物取り出し孔用切断線（１９）を前記上層クッション材本体（１）が変動しないように筆記具（３１）で前記中層クッション材本体（４）に記入する。【００２８】  図６（ｃ）は、上層クッション材本体（１）を取り除き、中層クッション材用書込み剥離フイルム（１７）を貼付した中層クッション材本体（４）の上面に図６（ｂ）で記入できなかった中層収納物取り出し孔用切断補助線（２０）を筆記具（３１）で記入する。場合によっては、前記中層収納物取り出し孔用切断補助線（２０）を省略することが可能である。図６の図面では説明上、前記中層収納物取り出し孔用切断線（１９）及び前記中層収納物取り出し孔用切断補助線（２０）は点線で表している。【００２９】  図６（ｄ）は、中層クッション材用書込み剥離フイルム（１７）を貼付した中層クッション材本体（４）の上面に記入した中層収納物取り出し孔用切断線（１９）及び中層収納物取り出し孔用切断補助線（２０）にあわせて切断具（３２）を用いて切断する。【００３０】  図６（ｅ）は、中層クッション材本体（４）から中層クッション材用書込み剥離フイルム（１７）を剥がし、不要部分を繰り抜き、中層収納物取り出し孔部（５）を形成する。
以上により中層クッション材本体製造工程（１６）と中層収納物取り出し孔部製造工程（１８）により、前記中層クッション材本体（４）を製造する。【００３１】  次に、下層本体製造工程（２１）により下層材本体（６）を製造する方法について説明する。図７は、本発明に係る小物収納装置の下層材の製造方法を示す模式図である。前記下層材本体（６）は、書込み剥離フイルム及び収納物取り出し孔が不要なため、発砲ポリエチレン等の素材である必要がないが、同様の発砲ポリエチレン等の素材であってもよい。また、前記下層材本体（６）は、同一枠板形状の板状の上層クッション材本体（１）及び中層クッション材本体（４）と整合するもので、前記上層クッション材本体（１）及び前記中層クッション材本体（４）を保持積層させるためのものである。【００３２】  次に、上層クッション材本体、中層クッション材本体、下層材本体の積層製造工程（２２）について説明する。図２に示すように、上層クッション材本体製造工程（１１）と上層収納物挟持部及び上層収納物取り出し孔部製造工程（１３）と下層本体製造工程（２１）によって製造された上層クッション材本体（１）と中層クッション材本体（４）と下層材本体（６）が積層され、前記上層クッション材本体（１）に上層収納物挟持部（２）と上層収納物取り出し孔部（３）を設け、前記上層収納物取り出し孔部（３）と整合する前記上層収納物挟持部（２）に中層収納物取り出し孔部（５）を設け、接着剤等により三層に積層形成する。【００３３】  以上の製造方法によって、本発明に係る小物収納装置及びその製造方法について実施するものであり、収納物（３３）を取り出す状態についても説明する。図８は、本発明に係る小物収納装置の小物を取り出す実施状態を示す断面図である。【００３４】  図８（ａ）に示すように、同一枠板形状の上層クッション材本体（１）と中層クッション材本体（４）と下層材本体（６）が積層され、前記上層クッション材本体（１）に上層収納物挟持部（２）と上層収納物取り出し孔部（３）を設け、前記上層収納物取り出し孔部（３）と整合する前記上層収納物挟持部（２）に中層収納物取り出し孔部（５）を設け、三層に形成積層した構成のため、収納物（３３）が中空に浮いた状態となり、容易に取り出すことができる。【００３５】  図８（ｂ）は、中層クッション材本体（４）と中層収納物取り出し孔部（５）が設けられ、上層クッション材本体（１）と前記中層クッション材本体（４）と下層材本体（６）が積層され、前記上層クッション材本体（１）に上層収納物挟持部（２）と上層収納物取り出し孔部（３）を設け、前記上層収納物取り出し孔部（３）と整合する前記上層収納物挟持部（２）に前記中層収納物取り出し孔部（５）を設け、三層に積層形成した構成のため、収納物（３３）が中空に浮いた状態となり、手袋を嵌めた状態でも容易に前記収納物（３３）取り出すことができる。
図８（ｃ）は、中層クッション材本体（４）と中層収納物取り出し孔部（５）を設けない状態を示す断面図である。よって、上層クッション材本体（１）と下層材本体（６）が積層され前記上層クッション材本体（１）に上層収納物挟持部（２）と上層収納物取り出し孔部（３）を設けだけであれば、収納物（３３）が下層材本体（６）に設置するため、特に手袋を嵌めた状態では前記収納物（３３）を確実に指で取り出しずらく、使い勝手が不十分である。【００３６】  以上説明したように、本発明は上述の実施形態に限定されるものではなく、本発明の趣旨を逸脱しない範囲において、各部の構成等を適宣に変更することも可能である。
【産業上の利用可能性】
【００３７】  本発明の小物収納装置及びその製造方法によって、実施者が個々に適用した小物収納装置を利用することができ、低コストで作業効率が向上するため産業上の利用可能性がある。
【図面の簡単な説明】
【００３８】
【図１】本発明に係る小物収納装置を示す斜視図である。
【図２】本発明に係る小物収納装置の積層構造を示す分解斜視図である。
【図３】本発明に係る小物収納装置の製造工程を示すフローチャート図である。
【図４】本発明に係る小物収納装置に小物を収納した実施状態を示す斜視図である。
【図５】本発明に係る小物収納装置の上層クッション材の製造方法を示す模式図である。
【図６】本発明に係る小物収納装置の中層クッション材の製造方法を示す模式図である。
【図７】本発明に係る小物収納装置の下層材の製造方法を示す模式図である。
【図８】本発明に係る小物収納装置の小物を取り出す実施状態を示す断面図である。
【符号の説明】
【００３９】    １  上層クッション材本体
２  上層収納物挟持部
３  上層収納物取り出し孔部
４  中層クッション材本体
５  中層収納物取り出し孔部
６  下層材本体
１１  上層クッション材本体製造Ｔ程
１２  上層クッション材用書込み剥離フイルム
１３  上層収納物挟持部及び上層収納物取り出し孔部製造工程
１４  上層収納物挟持部用切断線
１５  上層収納物取り出し孔部用切断線
１６  中層クッション材本体製造工程
１７  中層クッション材用書込み剥離フイルム
１８  中層収納物取り出し孔部製造工程
１９  中層収納物取り出し孔用切断線
２０  中層収納物取り出し孔用切断補助線
２１  下層材本体製造工程
２２  上層クッション材本体、中層クッション材本体、下層材本体の積層製造工程
３１  筆記具
３２  切断具
３３  収納物
【図１】
2009083930.tif 000003
【図２】
2009083930.tif 000004
【図３】
2009083930.tif 000005
【図４】
2009083930.tif 000006
【図５】
2009083930.tif 000007
【図６】
2009083930.tif 000008
【図７】
2009083930.tif 000009
【図８】
2009083930.tif 000010